(57)【要約】      （修正有）【課題】硬化対象物に比較的偏りなく紫外線を照射させることができる樹脂硬化装置を提供する。【解決手段】樹脂硬化装置１は、内部に空間を有する本体部１０と、本体部の内部の天井面付近及び内底面付近に設置された天井面ランプ２０及び底面ランプ３０と、天井面ランプ及び底面ランプの間の空間に設置され、紫外線の透過性が高い、硬化対象物１００を支持する支持部５０とを備えている。硬化対象物に上下から紫外線が照射され、樹脂を十分に硬化できる。【選択図】図１
0003217377.tif 000002
【実用新案登録請求の範囲】
【請求項１】
紫外線硬化樹脂製の小物類用の樹脂硬化装置であって、
内部に空間を有する本体部と、
前記本体部の内部の天井面付近及び内底面付近に設置された紫外線を照射するランプと、
前記天井面付近に設置された前記ランプと前記内底面付近に設置された前記ランプの間の空間に設置され、紫外線の透過性が高い、硬化対象物を支持する支持部とを備えている樹脂硬化装置。
【請求項２】
前記支持部が板状であることを特徴とする請求項１に記載の樹脂硬化装置。
【請求項３】
前記支持部が前記本体部の外部にスライド可能な形状であることを特徴とする請求項１又は２に記載の樹脂硬化装置。
【請求項４】
前記本体部内の空間を外部に開放した状態と外部から遮蔽した状態との間で切り替え可能である開閉部を前記本体部に備えており、
前記開閉部の背面に紫外線を反射する部材が固定されていることを特徴とする請求項１〜３のいずれか１項に記載の樹脂硬化装置。
【考案の詳細な説明】
【技術分野】
【０００１】
本考案は、紫外線硬化樹脂製の小物類用の樹脂硬化装置に関する。
【背景技術】
【０００２】
紫外線硬化樹脂、例えばレジンを紫外線で硬化させ、アクセサリー等の小物類を作製することが知られている。紫外線でレジンを硬化させる際に、特許文献１に記載の様な装置が使用される。この装置の内側の天井面には紫外線ランプが設置されており、紫外線硬化樹脂を塗布したアクセサリーのパーツ等の硬化対象物にその光を照射して、紫外線硬化樹脂を硬化させる。
【先行技術文献】
【特許文献】
【０００３】
【特許文献１】実用新案登録第３２１１２９６号
【考案の概要】
【考案が解決しようとする課題】
【０００４】
特許文献１に記載の装置では、硬化対象物を装置の底面に設置して上方のランプから紫外線を照射する。この構成によると、紫外線の照射方向に偏りがあるため、照射される紫外線の量が少なくなり、十分に紫外線硬化樹脂を硬化させることができなかったり、紫外線硬化樹脂の硬化に時間がかかったりするおそれがある。
【０００５】
本考案の目的は、硬化対象物に比較的偏りなく紫外線を照射できる紫外線硬化樹脂製の小物類用の樹脂硬化装置に関する。
【課題を解決するための手段】
【０００６】
本考案の樹脂硬化装置は、紫外線硬化樹脂製の小物類用の樹脂硬化装置であって、内部に空間を有する本体部と、前記本体部の内部の天井面付近及び内底面付近に設置された紫外線を照射するランプと、前記天井面付近に設置された前記ランプと前記内底面付近に設置された前記ランプの間の空間に設置され、紫外線の透過性が高い、硬化対象物を支持する支持部とを備えている。本考案の樹脂硬化装置によると、本体部の内部の天井面付近及び内底面付近にランプが設置されており、さらに、天井面付近に設置されたランプと内底面付近に設置されたランプの間の空間に設置された支持部に小物類の硬化対象物を支持させることができる。よって、硬化対象物は下方からも紫外線の照射を受けることができる。このため、照射方向の偏りが比較的少なく、紫外線硬化樹脂をしっかりと硬化させたり、紫外線硬化樹脂の硬化にかかる時間を短縮させたりすることができる。また、支持部は紫外線を透過しやすいため、内底面付近に設置されたランプからの紫外線を妨げにくい。したがって、硬化対象物に照射される紫外線の量が支持部によって減少するのを抑制することができる。なお、「紫外線の透過性が高い」とは、本体部より紫外線を透過しやすいことを意味する。
【０００７】
また、本考案の樹脂硬化装置は、前記支持部が板状であることが好ましい。これによると、支持部が板状であることで、硬化対象物をしっかりと支えることができる。
【０００８】
また、本考案の樹脂硬化装置は、前記支持部が前記本体部の外部にスライド可能な形状であることが好ましい。これによると、支持部が本体部の外部にスライド可能な形状であることで、支持部ごと本体部の外部から内部に挿入可能であるため、硬化対象物を本体部の内部に挿入しやすい。
【０００９】
また、前記本体部内の空間を外部に開放した状態と外部から遮蔽した状態との間で切り替え可能である開閉部を前記本体部に備えており、前記開閉部の背面に紫外線を反射する部材が固定されていることが好ましい。これによると、硬化対象物を本体部に格納した後、開閉部を閉じて、本体部内の空間を外部から遮蔽した状態で本体部の内部に紫外線を照射することができる。そのため、紫外線が樹脂硬化装置の外部に漏れてしまうこと抑制することができる。また、開閉部の内面に紫外線を反射する部材が固定されていることで、開閉部に照射された紫外線が反射されて、硬化対象物に照射される。よって、紫外線硬化樹脂の硬化をより促進させることできる。
【図面の簡単な説明】
【００１０】
【図１】本考案の一実施形態における樹脂硬化装置の概略図である。
【図２】図１における樹脂硬化装置のII−II線断面図である。
【考案を実施するための形態】
【００１１】
以下、本考案の一実施形態に係る樹脂硬化装置１について、図１及び図２を用いて説明する。樹脂硬化装置１は、本体部１０、支持部５０、天井面ランプ２０、底面ランプ３０、並びに、左側面ランプ４０ａ、及び右側面ランプ４０ｂを有する。なお、以下において、図１に示すように、樹脂硬化装置１の横方向を左右方向、左右方向と直交する一方向を前後方向、左右方向及び前後方向の両方向と直交する方向を上下方向という。
【００１２】
本体部１０は、プラスチック等の材質で構成された内部に空間を有する直方体の概略形状である。本体部１０の前壁には、その左右方向及び上下方向の幅より一回り小さい開口部１６が設けられている。開口部１６には開閉部６０が接続されている。開閉部６０は、本体部１０と同じ材質で構成されており、開口部１６とほぼ同じ大きさの平板状の概略形状である。開閉部６０の上端部６１は、開口部１６の上端部１６ａに回転可能に支持されている。開閉部６０は、上端部６１を中心に上下方向に回転させることで、本体部１０内の空間を外部に開放した開放状態と外部から遮蔽した遮蔽状態との間で切り替えることができる。開閉部６０の下端部６２に留め具６３、開口部１６の下端部１６ｂに留め具１６ｃが設けられており、これらの留め具は対になっている。開閉部６０を遮蔽状態にしたときに開閉部６０側の留め具６３と開口部１６の留め具１６ｃを接続することで、開閉部６０を本体部１０に固定できる。
【００１３】
本体部１０の上壁には、電源スイッチ１２及びタイマー１３が設けられている。電源スイッチ１２は、天井面ランプ２０、底面ランプ３０、左側面ランプ４０ａ、及び右側面ランプ４０ｂのＯＮ／ＯＦＦを切り替えるスイッチである。タイマー１３は、天井面ランプ２０、底面ランプ３０、左側面ランプ４０ａ、及び右側面ランプ４０ｂからの紫外線の照射時間を設定するタイマーである。なお、ランプごとに電源スイッチおよびタイマーが付いていてもよい。
【００１４】
支持部５０は矩形の板状である。支持部５０は、透明なアクリル板等の紫外線の透過性が高い材質で構成されている。紫外線を透過する材質であれば、他のプラスチックでもよいし、他の材質でもよい。支持部５０の前後方向の長さは、本体部１０の内側の前後方向の長さと同程度であり、左右方向の長さは、開閉部６０の左右方向の長さと同程度である。支持部５０の上面には硬化対象物１００が設置される。なお、硬化対象物１００としては、小物類であって、アクセサリー、キーホルダー等のパーツが該当する。
【００１５】
支持部５０は、左方向から左支持部ガイド５２ａによって支持され、右方向から右支持部ガイド５２ｂによって支持されている。左支持部ガイド５２ａ及び右支持部ガイド５２ｂは、矩形の板状であり、支持部５０と同じ材質で構成されている。左支持部ガイド５２ａは、左側面ランプ４０ａのやや下方に位置し、且つ、内底面１４ｂと平行になるように、本体部１０の左内側面１４ｃに固定されている。左支持部ガイド５２ａの前後方向の長さは、支持部５０の長さと同じであり、左内側面１４ｃから右方に向かって開口部１６まで突出している。右支持部ガイド５２ｂは、右側面ランプ４０ｂのやや下方に位置し、且つ、内底面１４ｂと平行になるように、本体部１０の右内側面１４ｄに固定されている。右支持部ガイド５２ｂの前後方向の長さは、支持部５０の長さと同じであり、右内側面１４ｄから左方に向かって開口部１６まで突出している。左支持部ガイド５２ａ及び右支持部ガイド５２ｂは、支持部５０を前後方向にスライド可能に支持している。これにより、支持部５０を前後方向にスライドさせて、開口部１６から本体部１０の外部に突出させることができる。また、支持部５０は、開口部１６から外部へ取り出し可能である。
【００１６】
天井面ランプ２０、底面ランプ３０、左側面ランプ４０ａ、及び右側面ランプ４０ｂは、前後方向に長尺なＵ字型形状の紫外線を照射するランプである。各ランプは、紫外線を照射できるものであればよい。本体部１０の内背面１４ｅの上端付近に、Ｕ字型が本体部１０の天井面１４ａと平行になるようにして、２本の天井面ランプ２０が左右方向に等間隔に設置されている。天井面ランプ２０は、内背面１４ｅから前方に向かって突出している。同様に、内背面１４ｅの下端付近に、Ｕ字型が本体部１０の内底面１４ｂと平行になるように、２本の底面ランプ３０が左右方向に等間隔に設置されている。底面ランプ３０は、内背面１４ｅから前方に向かって突出している。左側面ランプ４０ａは、内背面１４ｅの左端付近に設置されており、そこから前方に向かって突出している。左側面ランプ４０ａは、図２に示す通り、右端が左端より下方に配置されるように全体的に斜めに傾いている。同様に、右側面ランプ４０ｂは、内背面１４ｅの右端付近に設置されており、そこから前方に向かって突出している。右側面ランプ４０ｂは、図２に示す通り、左端が右端より下方に配置されるように全体的に斜めに傾いている。なお、左側面ランプ４０ａ及び右側面ランプ４０ｂは、斜めに傾かず、左内側面１４ｃ及び右内側面１４ｄと平行になるように内背面１４ｅに接続していてもよい。また、左側面ランプ４０ａ及び右側面ランプ４０ｂはなくてもよい。
【００１７】
本体部１０の内前面１４ｆ及び内背面１４ｅ、並びに開閉部６０の背面６４には、反射部材７１が固定されている。反射部材７１は、紫外線を反射する素材、例えば、アルミ蒸着フィルムで構成されている。本体部１０の天井面１４ａ、左内側面１４ｃ、右内側面１４ｄ、及び内底面１４ｂには、反射部材７２が固定されている。反射部材７２は、紫外線を反射する素材、例えば、アルミ蒸着フィルムで構成されており、凹凸を有する。反射部材７２は凹凸を有することで、紫外線を乱反射する。なお、反射部材７１及び７２には、凹凸があってもなくてもよい。
【００１８】
次に、図１を参照しつつ、上述の実施形態に係る樹脂硬化装置１の使用方法について説明する。開閉部６０側の留め具６３と開口部１６側の留め具１６ｃを外し、上端部６１を中心に開閉部６０を上方向に回転させ、本体部１０内を外部に開放した状態とする。次に、支持部５０を前方向にスライドさせて、紫外線硬化樹脂を塗布した硬化対象物１００を支持部５０の上面に載せる。その後、支持部５０を後方向にスライドさせて、本体部１０の内部に支持部５０を格納させる。次に、開閉部６０側の留め具６３と開口部１６側の留め具１６ｃを接続し、開閉部６０を本体部１０に固定させて、本体部１０内を外部から遮蔽した遮蔽状態とする。
【００１９】
次に、電源スイッチ１２をＯＮにし、天井面ランプ２０、底面ランプ３０、左側面ランプ４０ａ、及び右側面ランプ４０ｂから、本体部１０の内部の空間へ紫外線を照射させる。次に、タイマー１３にて、天井面ランプ２０、底面ランプ３０、左側面ランプ４０ａ、及び右側面ランプ４０ｂからの紫外線照射時間を設定する。これにより、硬化対象物１００に各ランプからの紫外線が照射され、硬化対象物１００に塗布された紫外線硬化樹脂が硬化する。
【００２０】
以上説明した樹脂硬化装置１によると、本体部１０の内部の天井面１４ａ付近及び内底面１４ｂ付近に天井面ランプ２０及び底面ランプ３０が設置されており、さらに、天井面ランプ２０と底面ランプ３０の間の空間に支持部５０が設置されている。よって、硬化対象物１００は下方からも紫外線の照射を受けることができる。このため、照射方向の偏りが比較的少なく、紫外線硬化樹脂をしっかりと硬化させたり、紫外線硬化樹脂の硬化にかかる時間を短縮させたりすることができる。また、支持部５０、並びに支持部ガイド５２ａ及び５２ｂは紫外線を透過しやすいため、底面ランプ３０からの紫外線を妨げにくい。したがって、硬化対象物１００に照射される紫外線の量が支持部５０によって減少するのを抑制することができる。なお、支持部５０、並びに支持部ガイド５２ａ及び５２ｂの紫外線の透過性は、少なくとも本体部１０より高ければよい。これにより、支持部５０、並びに支持部ガイド５２ａ及び５２ｂが本体部１０と同じ透過性か本体部１０より低い透過性である場合と比べ、支持部５０、並びに支持部ガイド５２ａ及び５２ｂが紫外線を妨げにくくなる。
【００２１】
また、支持部５０が板状であることで、硬化対象物１００をしっかりと支えることができる。また、支持部５０が本体部１０の外部にスライド可能な形状であることで、支持部５０ごと本体部１０の外部から内部に挿入可能であるため、硬化対象物１００を本体部１０の内部に配置しやすい。また、開閉部６０によって、本体部１０内の空間を外部に開放した状態と外部から遮蔽した状態との間で切り替え可能であるため、硬化対象物１００を本体部１０に格納した後、開閉部６０を閉じて、本体部１０内の空間を外部から遮蔽した状態で本体部１０の内部に紫外線を照射することができる。そのため、紫外線が樹脂硬化装置１の外部に漏れてしまうことを抑制することができる。また、開閉部６０の背面６４に紫外線反射部材７１が固定されていることで、開閉部６０に照射された紫外線が反射されて、硬化対象物１００に照射される。よって、紫外線硬化樹脂の硬化をより促進させることできる。
【００２２】
（変形例）
以上は、本考案の好適な実施形態についての説明であるが、本考案は上述の実施形態に限られるものではなく、課題を解決するための手段に記載された範囲の限りにおいて様々な変更が可能なものである。以下、上述の実施形態に係る変形例について説明する。また、上述の実施形態と共通の部分については上述と同じ符号を用いると共に、説明を適宜省略する。
【００２３】
上述の実施形態では、支持部５０は板状である。しかし、網状や棒状であってもよい。
【００２４】
上述の実施形態では、支持部５０は一つである。しかし二つ以上あって、上下方向に並んでいてもよい。
【００２５】
上述の実施形態では、左支持部ガイド５２ａ及び右支持部ガイド５２ｂは、左側面ランプ４０ａ及び右側面ランプ４０ｂの下方に設置されている。しかし、左支持部ガイド５２ａ及び右支持部ガイド５２ｂは、左側面ランプ４０ａ及び右側面ランプ４０ｂの上方に設置されていてもよい。
【００２６】
上述の実施形態では、開閉部６０の上端部６１は、開口部１６の上端部１６ａに回転可能に支持されている。しかし、開閉部６０は、開口部１６の左端部又は右端部に回転可能に支持されていてもよい。また、開閉部６０は、開口部１６に対して、上下方向又は左右方向にスライドすることで、本体部１０を外部に開放した開放状態と外部から遮蔽した遮蔽状態との間で切り替えることができてもよい。
【００２７】
上述の実施形態では、天井面ランプ２０及び底面ランプ３０は、各二本ずつであるが、一本でも三本以上でもよい。また、左側面ランプ４０ａ及び右側面ランプ４０ｂは、各一本ずつであるが、二本以上でもよい。
【符号の説明】
【００２８】
１  樹脂硬化装置
１０  本体部
１４ａ  天井面
１４ｂ  内底面
２０  天井面ランプ
３０  底面ランプ
５０  支持部
６０  開閉部
６４  背面
７１  反射部材
１００  硬化対象物
【図１】
0003217377.tif 000003
【図２】
0003217377.tif 000004